(57)【要約】【課題】  遊技機の釘の調整状態の良否を判断するための表示装置を提供する。【解決手段】  表示装置は遊技機の単位始動数の単位期間内の実績値を取得する。この実績値から単位期間内の単位始動数の平均単位始動数を計算する。またの単位期間内の出現回数が最多となる最多頻度単位始動数を抽出する。平均単位始動数と抽出された最多頻度単位始動数とを比較し、前者と後者はほぼ等しいか、前者より後者が明確に大きい（小さい）かの場合別けをする。場合別けした結果を示す記号を平均単位始動数に対応つけて表示する。例えば１月３日のヒストグラム４６ａを参照すると、平均単位始動数の上下の単位始動数で最多頻度単位始動数となっている。このことを示す記号が矢印５６ａと５７ａである。この記号により平均単位始動数と最多単位始動数との関係（出現回数のばらつき具合）を一目で把握することができる。【選択図】  図２
2006280442.tif 000002
【特許請求の範囲】
【請求項１】
遊技機の単位始動数の単位期間内の実績値群を取得する手段と、
取得した実績値群から、単位期間内の単位始動数の平均単位始動数を計算する手段と、
取得した実績値群から、単位期間内の出現回数が最多となる最多頻度単位始動数を抽出する手段と、
前記平均単位始動数と前記最多頻度単位始動数を比較し、前者＜＜後者、前者≒後者、前者＞＞後者のいずれかに場合別ける手段と、
前記平均単位始動数を、前記の場合別け結果を示す記号と対応付けて表示する手段と、
を有し、
＜＜は前者が後者よりも明確に小さいことを表し、≒は前者と後者がほぼ等しいことを表し、＞＞は前者が後者よりも明確に大きいことを表すことを特徴とする遊技機の単位始動数の表示装置。
【請求項２】
遊技機の単位始動数の単位期間内の実績値群を取得する手段と、
取得した実績値群から、単位期間内の単位始動数の平均単位始動数を計算する手段と、
取得した実績値群から、単位期間内の単位始動数毎の出現回数をカウントする手段と、
前記平均単位始動数に近似する整数に等しい単位始動数の出現回数よりも大きな出現回数を有する多頻度単位始動数を特定する手段と、
前記平均単位始動数を、多頻度単位始動数と対応付けて表示する手段と、
を有する遊技機の単位始動数の表示装置。
【請求項３】
遊技機の単位始動数の単位期間内の実績値群を取得する手段と、
取得した実績値群から、単位期間内の単位始動数の平均単位始動数を計算する手段と、
取得した実績値群から、単位期間内の単位始動数毎の出現回数をカウントする手段と、
ヒストグラムの複数個の代表的分布形状を記憶している記憶手段と、
単位期間内の単位始動数毎の出現回数を示すヒストグラムの分布形状を最もよく近似する代表的分布形状を特定する手段と、
前記平均単位始動数を、近似する代表的分布形状を示す記号と対応付けて表示する手段と、
を有する遊技機の単位始動数の表示装置。
【発明の詳細な説明】
【技術分野】
【０００１】
本発明は、遊技機の単位始動数をわかりやすく表示する装置に関する。特に、遊技機の釘の調整状態の良否が判断しやすいように、単位始動数を表示する技術に関する。
【背景技術】
【０００２】
例えばパチンコ玉を遊技媒体とする遊技機では、遊技者の操作によって発射されたパチンコ玉が遊技盤上を通過する。遊技盤には複数の釘が設けられている。パチンコ玉は、釘と衝突することによって進行方向を変えながら遊技盤上を流下する。この種の遊技機の中には、遊技盤に設けられた所定の領域をパチンコ玉が通過すると、いわゆる図柄変動装置が図柄変動を開始するものがある。図柄変動を開始することを「始動」する、という。また上記所定の領域を「始動領域」という。
【０００３】
上記の遊技機は、釘の位置や角度を調整することによって始動し易くなったり始動し難くなったりする。遊技場としては、遊技者に遊技を楽しんでもらうために、パチンコ玉が適度な頻度で始動領域を通過するよう釘の位置や角度を微妙に調整する。特許文献１には、釘の調整状態の良否を判断するために用いる表示装置が提案されている。
【０００４】
【特許文献１】特開２００４−６５７８９号公報（請求項４、請求項５、段落００１０及び００１１）
【０００５】
特許文献１の表示装置は、遊技機の「単位アウト数当りの始動数」又は「単位時間当りの始動数」を蓄積して記憶する手段と、記憶手段の記憶内容に基づいて、「単位アウト数当りの始動数」又は「単位時間当りの始動数」の経時変化を表すグラフと、そのグラフの始動数を示す軸を始動数の幅で区分するとともにその区分された幅内の始動数の出現回数を示すヒストグラムとを表示する手段を備える。ここで「アウト数」とは発射されたパチンコ玉の総数をいう。「始動」した回数を「始動数」という。また「単位アウト数当りの始動数」とは所定数（例えば１００個）のアウト玉に対する始動数をいい、「単位時間当りの始動数」とは所定時間（例えば１時間）に始動した回数をいう。なお、「単位アウト数当りの始動数」、「単位時間当りの始動数」および次のデータを合わせて以下、単に単位始動数と称する。「次のデータ」とは即ち、「純単位スタート数」、「ばらつき数」、「６８スタート数」、「初稼動スタート数」、「純単位スタート１数」、「ばらつき１数」、「６８スタート１数」、「初稼動スタート１数」である。これらのデータの意味は実施例中で説明する。
【０００６】
特許文献１の表示装置によると、単位始動数の経時変化を表すグラフと、始動数の出現回数を示すヒストグラムとが同時に表示される。釘の調整者はこのグラフから始動数の時間的なばらつきを把握でき、ヒストグラムから始動数の出現回数のばらつきを把握できる。これによりばらつきが所望の範囲内となるように釘の位置や角度を調整することができる。
【発明の開示】
【発明が解決しようとする課題】
【０００７】
しかし遊技者の入り具合は、単位期間（例えば日ごと、週ごと）によって異なるため、釘の調整者は、ある遊技機について単位期間毎（例えば１日毎又は１週間毎）の単位始動数の出現回数のばらつきを一度に把握したいという要求がある。また遊技場では、複数の遊技機について始動しやすい遊技機とそうでない遊技機とを適度な割合で配置することが望まれる。従って釘の調整者は各遊技機の単位始動数の出現回数のばらつきを一度に把握したいという要求がある。
ある遊技機について、複数の単位期間のヒストグラムを一度に表示すると一つひとつのヒストグラムを小さく表示せざるを得ず、ヒストグラムが見づらくなる。複数の遊技機のヒストグラムを同時に表示する場合も同様である。複数の単位期間又は複数の遊技機について、単位始動数の出現回数のばらつきを一度に把握できる表示装置が必要とされている。
【課題を解決するための手段】
【０００８】
本発明は、釘の調整者は単位期間毎又は遊技機毎の詳細なヒストグラムを把握する必要はなく、ヒストグラムにおける単位始動数の出現回数の分布の概要（出現回数のばらつき具合の概要）がわかれば十分であるという点に着目する。ヒストグラムの出現回数の分布の概要は、ヒストグラム上で出現回数が最多となる単位始動数（最多頻度単位始動数）が、平均単位始動数とほぼ等しいか、平均単位始動数より明確に大きいか、平均単位始動数より明確に小さいか、がわかればよい。最多頻度単位始動数と平均単位始動数との大小関係さえ表示できれば、単位期間毎のヒストグラムを全て表示せずとも釘の調整者は、単位期間毎の単位始動数の出現回数の分布の概要を把握することが可能となる。
【０００９】
本発明は、遊技機の単位始動数の表示装置として具現化できる。この表示装置は、遊技機の単位始動数の単位期間内の実績値群を取得する手段と、取得した実績値群から、単位期間内の単位始動数の平均単位始動数を計算する手段と、取得した実績値群から、単位期間内の出現回数が最多となる最多頻度単位始動数を抽出する手段と、前記平均単位始動数と前記最多頻度単位始動数を比較し、前者＜＜後者、前者≒後者、前者＞＞後者のいずれかに場合別ける手段と、前記平均単位始動数を、前記の場合別け結果を示す記号と対応付けて表示する手段を有する。ここで、＜＜は前者が後者よりも明確に小さいことを表し、≒は前者と後者がほぼ等しいことを表し、＞＞は前者が後者よりも明確に大きいことを表す。
【００１０】
この表示装置は、遊技機の単位始動数の単位期間内の実績値群を取得する手段を有する。この取得手段は、遊技機本体に実績値群が記憶されていれば表示装置を有線あるいは無線で遊技機と接続して、実績値群のデータを取得する。複数の遊技機を管理するホールコンピュータに実績値群が記憶されていれば表示装置を有線あるいは無線でホールコンピュータと接続して、実績値群のデータを取得する。オンラインで取得してもよいし、ＣＤなどの記憶媒体を介してオフラインで取得してもよい。
取得した実績値群から、単位期間内の単位始動数の平均単位始動数を計算する。平均単位始動数は整数で表しても良いし、小数点以下所定の桁数までで表してもよい。また取得した実績値群から、単位期間内の出現回数が最多となる最多頻度単位始動数を抽出する。これは取得した実績値群から、単位期間内の、単位始動数毎に出現回数をカウントし、カウント数が最多となった単位始動数を抽出すればよい。この、単位期間内の単位始動数の出現回数が最多となった単位始動数を「最多頻度単位始動数」と称す。そして平均単位始動数と前記最多頻度単位始動数を比較し、前者＜＜後者、前者≒後者、前者＞＞後者のいずれかに場合別ける。上記の処理を単位期間毎又は遊技機毎に行う。そして前記平均単位始動数を、前記の場合別け結果を示す記号と対応付けて表示する。
ここで、＜＜は前者が後者よりも明確に小さいことを表し、≒は前者と後者がほぼ等しいことを表し、＞＞は前者が後者よりも明確に大きいことを表す。例えば、「前者と後者がほぼ等しい場合」とは、前者（平均単位始動数）の値を含む所定数値範囲内に後者（最多頻度単位始動数）が含まれる場合と設定することが考えられる。また「前者が後者よりも明確に小さい場合」とは、上記所定数値範囲外で前者が後者よりも小さい場合、と設定することが考えられる。同様に「前者が後者よりも明確に大きい場合」とは、上記所定数値範囲外で前者が後者よりも大きい場合、と設定することが考えられる。
【００１１】
また、「場合別け結果を示す記号」とは、平均単位始動数より最多頻度単位始動数の方が明確に大きければ、例えば、上向き矢印の記号や「上」や「Ｕｐ」などの文字でよい。あるいは表示される平均値の数値の上側に横線を表示する記号でもよい。また、平均始動数と最多頻度単位始動数がほぼ等しい場合には、例えば、丸や「≒」などの記号、「等」などの文字でよい。あるいは表示される平均値の数値の横に横線を表示する記号でもよい。さらには「空欄」を記号と解釈して、何も表示しなくとも良い。即ち平均単位始動数と最多頻度単位始動数の大小関係の概要が判別可能な記号であればよい。
【００１２】
これにより、例えば所定の単位期間の平均単位始動数に対して上向きの矢印記号が表示されていれば、その単位期間では平均単位始動数より明確に大きい値に最多頻度単位始動数があることが把握できる。例えばこのことをヒストグラムで表せば、平均単位始動数より大きい値をもつ単位始動数にピーク（始動回数が最多である）があることが理解できる。釘の調整者は、その単位期間では平均単位始動数よりも実はより大きい単位始動数が多発していることが把握できる。
【００１３】
また、本発明は他の、遊技機の単位始動数の表示装置としても具現化できる。この表示装置は、遊技機の単位始動数の単位期間内の実績値群を取得する手段と、取得した実績値群から、単位期間内の単位始動数の平均単位始動数を計算する手段と、取得した実績値群から、単位期間内の単位始動数毎の出現回数をカウントする手段と、前記平均単位始動数に近似する整数に等しい単位始動数の出現回数よりも大きな出現回数を有する多頻度単位始動数を特定する手段と、前記平均単位始動数を、多頻度単位始動数と対応付けて表示する手段を有する。
【００１４】
この表示装置によれば、平均単位始動数に近似する整数に等しい単位始動数（以下、整数平均単位始動数と称す）の出現回数よりも多い出現回数を有する単位始動数（多頻度単位始動数）が、平均単位始動数と対応付けられて表示される。多頻度単位始動数が、整数平均単位始動数の前後の単位始動数でいくつあるかを把握することができる。例えば、多頻度単位始動数が多ければ、出現回数のばらつきが大きいことがわかり、多頻度単位始動数がひとつもなければ、整数平均単位始動数が最多頻度単位始動数であり、ばらつきが小さいことが把握できる。釘の調整がしやすくなる。
【００１５】
単位期間内の、単位始動数の出現回数の分布の概要を示すには、平均単位始動数の出現回数と、特定の単位始動数の出現回数とを比較してその結果を記号で表示することに限られない。単位始動数毎の始動数の出現回数を示すヒストグラムをよく近似する、代表的分布形状（の図形）を表示することでもよい。
そこで本発明は、さらに他の、遊技機の単位始動数の表示装置としても具現化できる。この表示装置は、遊技機の単位始動数の単位期間内の実績値群を取得する手段と、取得した実績値群から、単位期間内の単位始動数の平均単位始動数を計算する手段と、取得した実績値群から、単位期間内の単位始動数毎の出現回数をカウントする手段と、ヒストグラムの複数個の代表的分布形状を記憶している記憶手段と、単位期間内の単位始動数毎の出現回数を示すヒストグラムの分布形状を最もよく近似する代表的分布形状を特定する手段と、前記平均単位始動数を、近似する代表的分布形状を示す記号と対応付けて表示する手段を有する。
【００１６】
ここで、ヒストグラムの複数個の代表的分布形状とは、例えば次の形状がある。ヒストグラムの出現回数が右方向に伸びるヒストグラムで表示される場合には、例えばピークを２つ有するヒストグラムに対しては「Ｗ」の文字を左へ９０度横にした図形を代表的分布形状のひとつにすることができる。ピークが一つのヒストグラムに対しては「Ｖ」の文字を左へ９０度横にした図形を他の代表的分布形状とすることができる。さらにピークがひとつで平均単位始動数より大きい値の単位始動数にピークがある場合は、「Ｖ」の文字を左へ９０度横にし、「Ｖ」の文字の頂点を上方にずらした図形を、他の代表的分布形状とすることができる。同様にピークがひとつで平均単位始動数より小さい値の単位始動数にピークがある場合は、「Ｖ」の文字を左へ９０度横にし、「Ｖ」の文字の頂点を下方にずらした図形を、他の代表的分布形状とすることができる。また表示されるヒストグラムが、その出現回数を上方に伸びる方向に表示される場合はピークが二つの分布形状を近似する図形は「Ｗ」の文字を上下反対とした図形とすればよい。ヒストグラムの代表的分布形状を示すものは、図形でなくとも記号であってもよい。
このような、ヒストグラムの複数個の代表的分布形状（の記号群又は図形群）を記憶しておく。一方、取得した実績値群から、単位期間内の単位始動数毎の出現回数をカウントする。なお、カウントした出現回数を単位始動数の大きさ順に並べると、単位始動数毎の出現回数を示すヒストグラムとなる。そして単位期間毎の単位始動数毎の出現回数を示すヒストグラムの分布形状を最も近似する代表的分布形状を、記憶された複数個の代表的分布形状（の図形群）から特定する。この特定は具体的には、例えばカウントされた単位始動数毎の出現回数からピークをもつ単位始動数を特定する。これはある単位始動数の前後の単位始動数の出現回数がその「ある単位始動数」の出現回数より小さければ、その「ある単位始動数」がピークを有することが判明する。このような処理でピークを有する全ての単位始動数を抽出できる。そしてピークが２つあれば「Ｗ」の図形がそのヒストグラムの分布形状を最もよく表す代表的分布形状の図形として選定される。またピークがひとつの場合は「Ｖ」の図形が選定される。さらにピークの単位始動数が平均単位始動数より大きければ（小さければ）「Ｖ」の頂点を上下（又は左右）のいずれかの方向にずらした図形が選定される。
そして平均単位始動数を、特定された代表的分布形状を示す記号（又は図形）と対応付けて表示する。これにより、ヒストグラムの分布の概要をより視覚的に把握することができる。
【発明の効果】
【００１７】
本願発明によれば、遊技機の単位始動数をわかりやすく表示することができる。特に単位期間内の平均単位始動数の出現回数に対する他の単位始動数の出現回数との関係を一目で把握できるよう表示することができる。
【発明を実施するための最良の形態】
【００１８】
実施例の主要な特徴を列記する。
（第１形態）  表示装置の表示には、平均単位始動数とこの平均単位始動数に対する場合分け結果を示す記号と対応付けた表示が、複数の単位期間又は複数の遊技機について同時に表示されることが好ましい。釘の調整者は、複数の単位期間又は複数の遊技機について、平均単位始動数と最多頻度単位始動数との大小関係が一度に把握できる。
また平均単位始動数を、多頻度単位始動数と対応付けて表示する場合、又は平均単位始動数を、近似する代表的分布形状を示す記号と対応付けて表示する場合も、複数の単位期間又は複数の遊技機について同時に表示されることが好ましい。
（第２形態）  表示手段は、単位期間毎の平均単位始動数を表として表示し、平均単位始動数に対応する「場合分け結果を示す記号」、「多頻度単位始動数」又は「近似する代表的分布形状を示す記号」を、平均単位始動数を表示するセルと同一のセルの中に表示することが好ましい。平均単位始動数と、単位始動数の出現回数の分布の概要がわかる記号又は図形が同一のセルに表示されていると見やすいからである。
（第３形態）所定の遊技機の単位期間毎の平均単位始動数とこれに対応する記号又は図形を表示した表を、所定の単位期間の遊技機毎の平均単位始動数とこれに対応する記号又は図形を表示した表に切り替える表示切替手段をさらに有することが好ましい。切替手段は例えばマウスやキーボード、あるいは表示装置の表示画面自体をタッチパネルで構成することができる。
この構成により、単位期間毎の平均単位始動数とこれに対応する記号又は図形を表示した表、又は、遊技機毎の平均単位始動数とこれに対応する記号又は図形を表示した表のいずれかを選択して表示することができる。遊技機毎の平均単位始動数とこれに対応する記号又は図形を表示した表を表示することにより、複数の遊技機の、平均単位始動数と単位始動数の出現回数の分布（ばらつき具合）を一度に把握することができる。この表は、始動のしやすい遊技機とそうでない遊技機を適度に分散して配置するように釘を調整する際に有用である。
【実施例】
【００１９】
図面を参照して実施例を詳細に説明する。
＜実施例１＞
まず図７により遊技場１００の概略図を示す。遊技場１００は、複数の遊技機１０１、１０２、１０３・・・と、それら遊技機１０１、１０２、１０３・・・と接続されたホールコンピュータ１４０等を備えている。遊技機１０１、１０２、１０３・・・によっていわゆる島１１０が形成されている。遊技場１００には、複数の島１１０、１１２等が形成されている。図７では、全ての島を図示していない。また一つの島は、約２０台の遊技機によって構成されるが、図７では島毎に三台ずつしか遊技機を示していない。本実施例における遊技機１０１、１０２、１０３等は、パチンコ玉を遊技媒体とするパチンコ機である。また遊技機三台毎に台ユニット１２０が設置されている。従って一つの島に対して約６台の台ユニットが設置されるが、図７では島毎に１台の台ユニットしか示していない。台ユニット１２０は、遊技機１０１、１０２、１０３と通信可能に接続されている。他の台ユニットも同様に遊技機と接続されている。島毎に島ユニット１３０、１３２等が設置されている。各島ユニットは他の島ユニットと通信可能に接続されている。各島ユニット１３０、１３２はホールコンピュータ１４０と通信可能に接続されている。
各遊技機１０１、１０２、１０３からは夫々アウト数や始動数などの、遊技機の稼動状況に関するデータが台ユニット１２０および島ユニット１３０を介してホールコンピュータに送られる。
【００２０】
次に図１によりホールコンピュータ１４０内に設置された表示装置１０について説明する。表示装置１０には、各遊技機から、アウト数や始動数などの遊技機の稼動状況に関するデータ１２が送られ、このデータを記憶する記憶部２０を備える。記憶部２０では各遊技機から送られたデータから、単位始動数を算出して記憶している。ここで単位始動数とは、アウト数１００個毎の始動数である「単位アウト数当りの始動数」又は所定時間（例えば１時間）毎の始動数である「単位時間当りの始動数」のことである。記憶部２０は、各遊技機についての単位始動数を、単位期間毎の実績値として記憶する。
記憶部２０内から単位始動数の単位期間毎の実績値を読み出して、単位期間内の単位始動数の平均単位始動数を算出する平均値算出部２２を備える。また平均値算出部２２では、各遊技機について、単位期間内の単位始動数の平均単位始動数を算出する。
【００２１】
また表示装置１０は、記憶部２０内から単位期間内の単位始動数を読み出して、単位始動数毎の始動数の出現回数を算出する出現回数算出部２４を備える。この出現回数は単位期間毎、遊技機毎に算出される。なおこの単位始動数毎の始動数の出現回数を単位始動数の大きさ順に並べてグラフ化すると、単位始動数毎の始動数の出現回数のヒストグラムが得られる。
【００２２】
また表示装置１０は、算出された平均単位始動数と、出現回数が最多となる単位始動数（最多頻度単位始動数）とを比較して、比較した結果を示す記号を選定する記号選定部２６を備える。最多頻度単位始動数は、出現回数算出部２４で算出された単位始動数毎の出現回数のうち最も大きい出現回数を有する単位始動数である。記号の選定については後述する。
【００２３】
また表示装置１０は、算出された平均単位始動数や選定された記号および単位始動数毎の出現回数のデータから、表示部３０に表示する画面構成を制御する表示制御部２８を備える。さらに表示制御部２８の制御に基づいて表やヒストグラムを表示する表示部３０、操作者からの指示の入力を受け付ける指示入力部３２を備える。表示部３０はディスプレイ、またはプリンタ等で構成される。また指示入力部３２はマウスやキーボードで構成することができる。又はディスプレイの画面をタッチパネルとして構成することも好適である。指示入力部３２からの指示に従い、表示制御部２８は表示部３０に表を表示させたり、ヒストグラムを表示させたりする。また指示入力部３２からの指示に従い、表示制御部２８は表示部３０に表示する表を、所定の遊技機の単位期間毎の平均単位始動数とこれに対応する記号又は図形を表示した表と、所定の単位期間の遊技機毎の平均単位始動数とこれに対応する記号又は図形を表示した表とを相互に切り替える。
【００２４】
表示装置１０はホールコンピュータ１４０内に設置されているものとして説明したが、ホールコンピュータ１４０とは別体の装置であってホールコンピュータ１４０と有線又は無線により接続される構成としてもよい。また本実施例の表示装置１０にはその内部に各遊技機から送られるアウト数や始動数などの遊技機の稼動状況に関する情報１２を記憶する記憶する記憶部２０を備えると説明したが、この記憶部２０や他のモジュール（平均値算出部や出現回数算出部など）の一部がホールコンピュータ１４０内に備えられるものであってもよい。また、表示装置は、遊技機の稼動状況に関する情報１２をオンラインで取得してもよいし、ＣＤやフラッシュメモリなどの記憶媒体を介してオフラインで取得するものであってもよい。各モジュールはコンピュータのソフトウエアとして実現されてもよいし、電子回路として実現されてもよい。
【００２５】
次に図１と図２を参照して各モジュールの動作について説明する。図２は表示部３０に表示される画面を模式的に表した表示画面４０ａである。表示画面４０ａには台番号１で識別される遊技機の、日付毎のアウト数、始動数、平均単位始動数が表示されている。表４２ａにはその他にも台番号１の遊技機の稼動状況を表すデータ、例えば払い出されたパチンコ玉の数などが表示されていてもよい。
指示入力部３２によって操作者が太線４４で示す１月３日の行を選択すると、その日付の単位始動数毎の出現回数を表すヒストグラム４６ａが表示される。表示画面４０ａにはまた、所定の遊技機（図２では台番号１で識別される遊技機）についての、日付毎のデータの表から所定の日付の複数台の遊技機のデータの表に表示を切り替えるボタン４９、表示するデータの対象となる遊技機の台番号を変更するボタン５０、画面を印刷するボタン５１、処理を終了するボタン５２が表示されている。画面はタッチパネルになっていて各ボタンをタッチすると各処理が実行される。複数台表示のボタン４９をタッチすると、表４２ａ中の日付の欄が台番号に変更され、表の各セルにはその各台番号で識別される遊技機について各データ（アウト数、始動数及び平均単位始動数と、その平均単位始動数に対応する記号等）が表示されるようになっている。
【００２６】
本実施例では、単位期間を１日としてある。従って表４２ａには各日付の平均単位始動数が表示されている。
また本実施例では、平均単位始動数の整数部と一致する単位始動数を「平均単位始動数にほぼ等しい場合」の単位始動数と設定する。従って平均単位始動数の整数部より大きい値の単位始動数は「平均単位始動数より明確に大きい場合」に場合別けされる。同様に平均単位始動数の整数部より小さい値の単位始動数は「平均単位始動数より明確に小さい場合」に場合別けされる。
【００２７】
操作者が選択した太線４４のデータを例にこの表示装置の処理を説明する。１月３日はアウト数が３０，０００、始動数が１０５０である。従ってアウト数１００個当りの始動数の平均値（「単位アウト数当りの始動数」の平均値）は１０５０／（３０，０００／１００）＝３．５である。この数字が平均単位始動数の欄に表示されている。表示されているヒストグラム４６ａが、台番号１で識別される遊技機の、この日の単位始動数毎の出現回数のヒストグラムである。ヒストグラムの縦軸は単位始動数を、横軸は各単位始動数の出現回数を示す。このヒストグラムを表示するためのデータは、図１の出現回数算出部２４で算出される。出現回数算出部２４は、記憶部２０から各日付（各単位期間）の単位始動数を読み出して、同じ「単位始動数」が何回あったかをカウントする。すなわち出現回数を単位始動数毎に集計する。このデータをグラフにしたものがヒストグラム４６ａである。
【００２８】
次に記号選定部２６では、出現回数算出部２４で抽出された１月３日の単位始動数毎の出現回数のうち最多の出現回数を有する単位始動数（最多頻度単位始動数）を抽出する。１月３日のヒストグラム４６ａから、単位始動数が「２」のときの出現回数５７と、単位始動数が「４」のときの出現回数５６が同じ数で最多である。記号選定部２６では、平均値算出部２２で算出された１月３日の平均単位始動数（図２の場合は「３．５」）と、この最多頻度単位始動数（図２の場合は単位始動数「２」と「４」）を比較する。本実施例では平均単位始動数の整数部と等しい単位始動数を「平均単位始動数にほぼ等しい場合」の単位始動数と設定しているので、単位始動数「２」は平均始動数より明確に小さい場合に別けられる。また単位始動数「４」は平均始動数より明確に大きい場合に別けられる。記号選定部２６では、平均単位始動数より最多頻度単位始動数の方が明確に大きい場合は上向き矢印記号を選定し、平均単位始動数より最多頻度単位始動数の方が明確に小さい場合は上向き矢印記号を選定する。
【００２９】
表示制御部２８では、こうして選定された記号を、１月３日の平均単位始動数のセルの中に表示する。表示された矢印記号が符号５６ａ、５７ａで示されている。平均値算出部２２、出現回数算出部２４、記号選定部２６は日付ごと（単位期間ごと）に上記処理を実行する。日付ごとに算出された平均単位始動数とこれに対応する記号は、表示制御部２８によって表４２ａの中に表示される。すなわち、ヒストグラム４６ａが表示されていない日付に対しても平均単位始動数と最多頻度単位始動数との大小関係が記号により表示される。即ち単位始動数の出現回数の分布（出現回数のばらつき具合）の概要を示す記号が表示される。表示装置の操作者は、単位始動数の出現回数の分布の詳細を見たい日付を指示入力部３２により指示すると、その日付のヒストグラムが１月３日のヒストグラム４６ａに変わって表示される。
【００３０】
図３に、本実施例の他の表示例を示す。図３は操作者が１月１日を選択したときの模式的な表示画面４０ｂを示す。ヒストグラム４６ｂは、操作者が選択した１月１日の単位始動数の出現回数のヒストグラムである。１月１日の平均単位始動数は「３．５」である。またこの日は単位始動数が「５」のときに最多の出現回数６１を有する。従って最多頻度単位始動数の値は「５」である。本実施例では、平均始動数の整数部と１以上異なる単位始動数は、平均単位始動数より明確に大きい（又は小さい）場合に場合別けされる。本実施例の記号選定部２６は、平均単位始動数より最多頻度単位始動数が明確に大きい（又は小さい）場合をさらに、細かく場合別けする。具体的には平均単位始動数の整数部と最多頻度単位始動数との差が１離れている場合と２以上離れている場合とで異なる記号を選定する。図２では、平均始動数と最多頻度単位始動数との差が１離れている場合であり、単純な上下の矢印を選定した。図３の１月１日の場合はこの差が２である。本実施例ではこの場合、上向き矢印の下に横線を付加した記号６１ａが選定される。上向き矢印は最多頻度単位始動数が平均単位始動数より明確に大きいことを示す。表示制御部２８はこの上向き矢印の下に横線を付加した記号６１ａを１月１日の平均単位始動数が表示されているセルの中に表示する。
【００３１】
本実施例ではまた、平均単位始動数と最多頻度単位始動数とがほぼ等しい場合に場合別けされるときは「−」の記号を選定する。図３の符号６２で示す「−」の記号がこれに相当する。従って１月２日は平均単位始動数「３．５」の整数部「３」に等しい単位始動数が最多頻度単位始動数であることが表から一目で把握できる。また１月４日は平均単位始動数のセルの中に下向き矢印６３が表示されている。従って１月４日の最多頻度単位始動数は、平均単位始動数「５．５」の整数部「５」より１だけ小さい「４」であることが把握できる。本実施例では平均単位始動数と最多頻度単位始動数とが明確に大きい（小さい）場合をさらに細かく場合別けして記号を選定する。平均単位始動数と最多頻度単位始動数とが明確に大きい（小さい）場合にどの程度大きい（小さい）のかが把握できる。
【００３２】
このように実施例１では、各日付（各単位期間）の平均単位始動数と最多頻度単位始動数との大小関係を場合別けして示す記号を対応付けて表示する。ヒストグラムを見ずとも表を見るだけで、平均単位始動数と最多頻度単位始動数とがほぼ等しいか、前者が後者より明確に大きいか小さいかが一目で把握することができる。すなわち平均単位始動数とこれに対する最多頻度単位始動数との大小関係の分布（出現回数のばらつき具合）の概要が一度に把握できる。過去数日分（過去の複数の単位期間）の出現回数の分布の変化が一目でわかる。この過去数日分のデータを見ることで次の釘調整をより良く行うことができる。また一度に過去数日分のデータを見ることができるので、いちいち各日のヒストグラムを見てから釘を調整するより効率よく調整を行うことができる。
さらに本実施例では、詳細なヒストグラムを見たい日付をタッチするだけでその日付のヒストグラムを表示させることができる。全ての日付のヒストグラムを同時に表示する必要がなくなる。一度に一つのヒストグラムを表示するので見やすい表示とすることができる。しかも表中の出現回数の分布の概要を示す記号から、気になる分布概要（ばらつきの概要）の詳細なヒストグラムを瞬時に表示することができる。連日の出現回数の分布のデータをその概要を示す記号から必要に応じて詳細なヒストグラムを瞬時にみることができる。他の日付の出現回数の分布の概要が表の中に常に記号で示されているので、ヒストグラムを表示させた日付の出現回数の分布の様子（平均単位始動数と最多頻度単位始動数との大小関係）を、他の日付の分布の概要と比較することができる。そのヒストグラムの分布が許容範囲なのか（その遊技機に連日に現れる分布に類似するものなのか）、偶然に特異なものとなったのかを把握できる。釘の調整にそのヒストグラムを参考とすべきか否かを操作者は判断することができる。
【００３３】
なお実施例１では平均単位始動数の整数部と等しい値を有する単位始動数を「平均単位始動数とほぼ等しい場合」の単位始動数と設定し、これ以外の単位始動数を「平均単位始動数より明確に大きい（小さい）場合」の単位始動数と設定した。「ほぼ等しい」、「明確に大きい（小さい）」場合別けは上記に限られない。例えば平均単位始動数を四捨五入し、その値から前後「１」以下だけ離れた単位始動数を「平均単位始動数とほぼ等しい場合」の単位始動数として設定し、それ以外の単位始動数を「平均単位始動数より明確に大きい（小さい）場合」の単位始動数として設定して場合別けすることも好適である。
【００３４】
なお実施例１では、記憶部２０が「遊技機の単位始動数の単位期間内の実績値群を取得する手段」の一態様に、平均値算出部２２が「取得した実績値群から、単位期間内の単位始動数の平均単位始動数を計算する手段」の一態様に、出現回数算出部２４と記号選定部２６が「取得した実績値群から、単位期間内の出現回数が最多となる最多頻度単位始動数を抽出する手段」の位置態様に、記号選定部２６が「前記平均単位始動数と前記最多頻度単位始動数を比較し、前者＜＜後者、前者≒後者、前者＞＞後者のいずれかに場合別ける手段」の一態様に、表示制御部２８と表示部３０が「前記平均単位始動数を、前記の場合別け結果を示す記号と対応付けて表示する手段」の一態様に相当する。
【００３５】
＜実施例２＞
次に図４を用いて実施例２を説明する。図４は実施例２による模式的な表示画面４０ｃを示している。表示装置の構成は実施例１と同様である。実施例２は単位始動数の出現回数の分布の概要を表す記号の選定の方法が実施例１とは異なる。
実施例２では、記号選定部２６において、平均単位始動数に近似する整数に等しい単位始動数の出現回数よりも多い出現回数を有する単位始動数（多頻度単位始動数）を特定する。そして特定された多頻度単位始動数と、平均単位始動数と対応付けて表示する。本実施例２では、「平均始動数に近似する整数に等しい単位始動数」として平均始動数の整数部に等しい単位始動数を設定する。この他にも平均始動数を四捨五入した値をもつ単位始動数を「平均始動数に近似する整数に等しい単位始動数」として設定してもよい。以下「平均始動数に近似する整数に等しい単位始動数」を整数平均単位始動数と称す。
【００３６】
図４に太線６５に示す１月４日の欄で具体的に説明する。１月４日の平均単位始動数の値は５．５である。この平均単位始動数の整数部は「５」である。すなわち整数平均単位始動数の値は「５」となる。この整数平均単位始動数の出現回数６８より大きい出現回数を有する単位始動数を特定する。図４の１月４日のヒストグラム４６ｃから、単位始動数が「３」の出現回数６６と、単位始動数が「４」の出現回数６７が、整数平均単位始動数の出現回数６８より多い。従って値が「３」と「４」の単位始動数が多頻度単位始動数として特定される。この特定は記号選定部２６で行われる。記号選定部２６はまた、特定された多頻度単位始動数に対して記号を選定する。本実施例では、多頻度単位始動数の値が、整数平均単位始動数の値より大きいか小さいかを判別可能な記号が選定される。特定された多頻度単位始動数の値「３」と「４」はともに整数平均単位始動数「５」よりも小さいので、この「小さい」ことを表す下向き矢印が選定される。さらに単位始動数「３」は整数平均単位始動数「５」との差が２であるので下向き矢印に横線が付された記号が選定される。こうして選定された記号が表示制御部２８によって表示部３０に表示される。表示された記号が表４２ｃの１月４日の平均単位始動数の欄に符号６６ａ、６７ａとして表示されている。記号６６ａが、単位始動数「３」に対応し、記号６７ａが単位始動数「４」に対応する。この表示を見た表示装置の操作者は、１月４日では、平均単位始動数に近似する整数に等しい単位始動数（整数平均単位始動数）の値「５」の出現回数に対して、隣接する単位始動数「４」の出現回数の方が多く、また値が「３」以下のいずれかの単位始動数でも出現回数が多いことが把握できる。同様に選定された記号が表４２ｃの各平均単位始動数に対して表示されている。１月１日は、整数平均単位始動数の値「３」よりも値が２以上大きい単位始動数が多頻度単位始動数となっていることがわかる。１月２日は整数平均単位始動数より多い出現回数を有する単位始動数はなかったことがわかる。１月３日は整数平均単位始動数の前後の単位始動数が多頻度単位始動数となっていることがわかる。
【００３７】
このように実施例２では、平均単位始動数に近似する整数に等しい単位始動数（整数平均単位始動数）の出現回数より多い出現回数を有する多頻度単位始動数が、整数平均単位始動数の前後の単位始動数でいくつあるかが表を見るだけで把握できる。多頻度単位始動数が多くあるということは出現回数のばらつきが大きいことを意味する。この情報を元に釘の調整者はより良く釘を調整することができる。
なお、実施例２では、「平均始動数に近似する整数に等しい単位始動数」として、平均始動数の整数部に等しい値を有する単位始動数を設定したが、他の条件により設定してもかまわない。例えば平均始動数を四捨五入した値を「平均始動数に近似する整数に等しい単位始動数」として設定してもよい。
また、実施例２では、平均始動数とこれに対応する多頻度単位始動数を示す記号を表示したが記号の替わりに多頻度単位始動数の数値そのものを表示することも好適である。例えば１月４日の多頻度単位始動数の値は「３」と「４」である。そこでこの値「３」と「４」を平均単位始動数が表示されたセルに直接表示してもよい。具体的には１月４日の平均単位始動数のセルの中の表示を「５．５（３、４）」と表示する。これにより、値が「３」と「４」の単位始動数が多頻度単位始動数になっていることがわかる。
【００３８】
＜実施例３＞
次に図５を用いて実施例３の他の表示形態を説明する。図５は実施例３の他の形態の模式的表示画面４０ｄを示している。表示装置の構成は実施例１と同様である。実施例３は、実施例２の多頻度単位始動数の表示だけでなく、整数平均単位始動数の出現回数より小さい出現回数の単位始動数をも記号表示する。
実施例３では「平均単位始動数に近似する整数に等しい単位始動数」（整数平均単位始動数）と、この整数平均単位始動数の前後の単位始動数の全てあるいは一部の単位始動数について、単位始動数毎の出現回数が、平均単位始動数の出現回数に対して多いか少ないかを示すものである。
図５に太線６９に示す１月１日の欄で具体的に説明する。１月１日の平均単位始動数の値は「３．５」である。本実施例３でも、平均単位始動数の整数部に等しい単位始動数を整数平均単位始動数として設定する。図５の場合、整数平均単位始動数の値は「３」となる。この整数平均単位始動数の出現回数７２と、整数平均単位始動数の値の前後４つの単位始動数の出現回数を比較する。すなわち単位始動数の値が「１」、「２」、「４」、「５」の４つについて出現回数を比較する。単位始動数「１」の出現回数７０は整数平均単位始動数「３」の出現回数７２より小さい。そこで記号選定部２６はこの値が１の単位始動数に対して下向きの矢印７０ａを選定する。同様に単位始動数「２」の出現回数７１、および単位始動数「４」の出現回数７３も整数平均単位始動数「３」のときの出現回数７２より小さい。記号選定部２６は値が「２」と「４」の単位始動数に対しても下向きの矢印７１ａ、７３ａを選定する。単位始動数「５」の出現回数７４は整数平均単位始動数「３」の出現回数７２より大きい。記号選定部２６は単位始動数「５」に対しては上向きの矢印７４ａを選定する。こうして各単位始動数に対する矢印が選定されたのち、表示制御部２８では、１月１日の平均単位始動数が表示されているセル内に、選定された記号を単位始動数の値の小さい方から順に並べて表示する。単位始動数「１」に対して選定された下向き矢印がまず一番左に表示される（符合７０ａ）。次に単位始動数「２」に対して選定された下向き矢印がその右に表示される（符号７１ａ）。その次は整数平均単位始動数「３」であるのでそのまま平均単位始動数を表示する。次に単位始動数「４」に対して選定された下向き矢印が表示される（符号７３ａ）一番右に単位始動数「５」に対して選定された上向き矢印が表示される（符号７４ａ）。
こうして表示された１月１日の平均単位始動数のセルを見ると、整数平均単位始動数の出現回数に対してその前後４つの単位始動数の出現回数の大小関係が一度に把握できる。出現回数の正確な値はわからずとも、整数平均単位始動数の前後の単位始動数の出現回数が整数平均単位始動数の出現回数に対して大きいか小さいかが一目で把握できる。各日付について同時に同様な表示がされているので連日の分布の様子が一目でわかる。
【００３９】
実施例３は実施例２に対して、出現頻度の少ない単位始動数についても表示を加えたものである。即ち実施例３は実施例２の変形例と捉えることができる。
実施例３では表示する矢印の数は、整数平均単位始動数に対して前後４つの単位始動数について示した。表示する矢印の数は４つに限られない。全ての単位始動数について矢印を表示しても良い。しかし一方、整数平均単位始動数の値から大きく離れた単位始動数については大小関係を判断するまでもなく出現回数は小さいことが予想される。よって大小関係を判別する手段は、整数平均単位始動数の前後４つ乃至６つの単位始動数についてその出現回数と整数平均単位始動数の出現回数との大小関係を判別することが好ましい。限られた数の単位始動数について出現回数の大小関係を判別する記号を表示することで、表示される記号の数を減らすことができる。表が見やすくなる。
実施例３では整数平均単位始動数の前後の単位始動数の出現回数の大小が把握できる。実施例１や実施例２に比べて出現回数の分布（ばらつき具合）をより良く把握することができる。
【００４０】
以上実施例１から３では大小関係を表す記号として上下の矢印記号を例とした。しかし大小関係を表す記号は矢印に限られるものではない。第１から第３選定手段が選定する記号としては、上下の矢印記号の他、左右の矢印記号、「上」、「下」の文字または「Ｕｐ」、「Ｄｏｗｎ」といった英文字、平均値の文字より上側や下側に付す横線など、数値の大小関係が判別できる記号であればいかなる記号であってもよい。また記号でなくとも、平均値を表示する際の数値の色を選定することでもよい。例えば赤で表示される場合は平均始動数より小さいことを表し、青で表される場合は平均始動数より大きいことを表すなど事前に取り決めておけばよい。
【００４１】
＜実施例４＞
次に図６を用いて実施例４を説明する。図６は実施例４による模式的表示画面４０ｅを示している。本実施例も表示装置の構成は実施例１と同様である。単位始動数の分布の概要を示す記号の選定の方法が実施例１から実施例３と異なる。
実施例４では、ヒストグラムの複数個の代表的な分布形状を示す図形を予め記号選定部２６に記憶しておく。具体的には次の通りである。ヒストグラムの形状は概ね２つのピークを有するか１つのピークを有するかに大別できる。ピークが１つの場合、そのピークが平均単位始動数とほぼ一致するか、平均単位始動数より大きい単位始動数にあるか、平均単位始動数より小さい単位始動数にあるか、の３種類に大別できる。そこで計４つの図形を用意しておく。ヒストグラムが図６に示すように出現回数が右に伸びる方向に表示される場合、２つのピークを表す記号は英文字「Ｗ」を左に９０度回転させた図形とする。１つのピークを表す記号は英文字「Ｖ」を左に９０度回転させた図形とする。すると、横にした「Ｗ」や「Ｖ」の文字はピークが２つ又は１つのヒストグラムの分布の形状を良く表す代表的分布形状を示す図形となる。ピークが平均単位始動数と同じである場合には、横向きとなった「Ｖ」の頂点を上下の中央位置とする。ピークが平均単位始動数より大きい単位始動数にある場合は横向きとなった「Ｖ」の頂点を上方へずらした図形とする。ピークが平均単位始動数より小さい単位始動数にある場合は横向きとなった「Ｖ」の頂点を下方へずらした図形とする。表示されるヒストグラムが、出現回数を上方へ伸びる向きに表示される場合は「Ｗ」や「Ｖ」の文字を上下逆転させた図形とすればよい。さらに出現回数算出部２４で算出されたヒストグラムの形状が上記４種類のいずれにも該当しない場合はその旨を示す図形、例えば「？」を記憶することも好適である。
【００４２】
図６の太線８０で示した１月３日の例で説明する。この日のヒストグラムが４６ｅに示されている。このヒストグラムは出現回数算出部で各日（各単位期間）について、単位始動数ごとに出現回数をカウントして得られる。この日のヒストグラムは単位始動数「２」と「４」のときに夫々出現回数８１と８３となる２つのピークを有する。即ちこの日の単位始動数毎の出現回数を示すヒストグラムの分布形状は２つのピークを有するものであると特定できる。そこで記号選定部２６は「Ｗ」を横向きにした図形８４を、記号選定部２６内に記憶した図形群から選定する。表示制御部２８はこの図形８４を１月３日の平均単位始動数を表示するセル内に表示する。操作者はこの「Ｗ」を横にした図形を見ることでその日の単位始動数の出現回数の分布が２つのピークを有するものであることが視覚的に把握できる。
【００４３】
同様に１月１日の欄の記号８５は「Ｖ」が横向きでその頂点が上方へずれた図形が表示されている。これは単位始動数の出現回数のヒストグラムが一つのピークを有し、そのピークが平均単位始動数より大きい単位始動数にあることを示している。１月２日の図形８６は「Ｖ」が横向きの図形が表示されている。従ってこの日はピークが一つでそのピークが平均単位始動数にほぼ一致していることを示している。１月４日の図形８７は「Ｖ」が横向きでその頂点が下方へずれた図形が表示されている。これは単位始動数の出現回数のヒストグラムが一つのピークを有し、そのピークが平均単位始動数より小さい単位始動数にあることを示している。
【００４４】
このように単位始動数の出現回数の分布の形態を近似する図形を複数記憶しておき、日付毎（単位期間毎）に出現回数の分布形状を最も近似する代表的分布形状を特定し、特定した代表的分布形状を示す図形を表中の平均単位始動数のセルに同時に表示することで、連日の出現回数の分布（ばらつき具合）の概要をより視覚的に把握することが可能となる。
【００４５】
以上は、単位期間として１日を設定し、単位始動数の日毎の平均単位始動数と、単位始動数毎の出現回数を例とした実施例を示したが、本発明はこれに限るものではない。
特に実施例１で説明したように図２の表示画面４０ａ内の複数台表示ボタン４９を押す（タッチする）ことで、表の最差列は台番号に変更される。そして表の各セルには台番号で識別される各遊技機について、所定の日の平均単位始動数と、その日の単位始動数毎の出現回数の分布の概要を表す記号が表示される。表に表示される台の数はホール全体の台数分でもよいがそれでは表示する表が大きくなりすぎて見づらくなる。そこで図７に示す島１３０、１３２に接続されている台について表示することが好ましい。島に接続されている遊技機のデータを一度に見ることで、島の遊技機について、始動のしやすさを適度に配置できるように釘を調整できるからである。島に接続されている遊技機の数が多い場合は、台ユニット１２０に接続されている遊技機についてそのデータを表に表示することも好ましい。一度に表示するデータを少なくすることでデータが見やすくなる。かつ台ユニットに接続された隣接する遊技機について、始動のしやすさを適度に分散させるように釘を調整できるからである。いずれの場合も、遊技機毎の平均単位始動数と、単位始動数毎の出現回数の分布の概要を表す記号が表示されるので、各遊技機の始動数の分布の概要を一度に見ながら釘の調整を行うことができる。表示されているそれぞれの遊技機について過去どのように始動のしやすさが分散されていたかを把握することができる。このデータを元に次の釘調整の方針（始動のしやすさをどのように複数の遊技機に分散させるか）を立てやすくなる。
なお、図２から図６に示した数値は説明をわかりやすくするために簡単な数値を用いた。実際の「単位アウト数当りの始動数」または「単位時間当りの始動数」には種々の条件（例えば始動する領域に連続してパチンコ玉が通過した場合、所定数以上のパチンコ玉は始動回数にカウントされない、等）に基づいて算出される。従って「単位アウト数当りの始動数」の平均値は図２から図６に示した値とは異なる場合がある。本発明はそのような場合であってもなんら制限なく適用できる。
【００４６】
また対象とした遊技機のデータは「単位アウト数当りの始動数」または「単位時間当りの始動数」に限られない。この他に、「純単位スタート数」、「ばらつき数」、「６８スタート数」、「初稼動スタート数」、「純単位スタート１数」、「ばらつき１数」、「６８スタート１数」、「初稼動スタート１数」のいずれかのデータを対象としてその平均値と、出現回数の分布の概要を示す記号を表の中に表示してもよい。なお上記データの意味を以下に説明しておく。
単位時間当りの始動数：所定時間（例えば１時間）内に始動した回数。
純単位スタート数：１分間に９０個以上のアウト玉が存在する場合の、単位アウト数当りの始動数もしくは単位時間当りの始動数。
ばらつき数：純単位スタート数を平均として、１分毎の有効データから標準偏差を計算しばらつきを計算した値。
６８スタート数：純単位スタートの平均単位始動数の正負のばらつきが、単位始動数全体の６８％を示す値。このパラメータを用いると、遊技者が感じる全体のばらつきが上中下で理解することができる。
初稼動スタート数：遊技機が所定時間稼動していない状態からアウト玉が所定個（例えば２００個）のデータを累積し、単位始動として計算した値。この値を用いると打ち初めのスランプを確認することができる。
純単位スタート１数：実入賞数を使った純単位スタート数。
ばらつき１数：実入賞数を使ったばらつきの値。
６８スタート１数：実入賞数を用いた６８スタート数。
初稼動スタート１数：実入賞数を使った初稼動スタート数。
【００４７】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出現時請求項記載の組合せに限定されるものではない。また、本明細書または図面に例示した技術は複数目的を同時に達成し得るものであり、そのうちの一つの目的を達成すること自体で技術的有用性を持つものである。
【図面の簡単な説明】
【００４８】
【図１】実施例１の表示装置のブロック図である。
【図２】実施例１による表示画面の一例である。
【図３】実施例１による表示画面の他の一例である。
【図４】実施例２による表示画面の一例である。
【図５】実施例３による表示画面の一例である。
【図６】実施例４による表示画面の一例である。
【図７】遊技場の遊技機とコンピュータの配置の概要を示す図である。
【符号の説明】
【００４９】
１０：表示装置
２０：記憶部
２２：平均値算出部
２４：出現回数算出部
２６：記号選定部
２８：表示制御部
３０：表示部
３２：指示入力部
１００：遊技場
１０１、１０２、１０３：遊技機
１１０、１１２：島
１２０：台ユニット
１３０、１３２：島ユニット
１４０：ホールコンピュータ
【図１】
2006280442.tif 000003
【図２】
2006280442.tif 000004
【図３】
2006280442.tif 000005
【図４】
2006280442.tif 000006
【図５】
2006280442.tif 000007
【図６】
2006280442.tif 000008
【図７】
2006280442.tif 000009